(57)【要約】【課題】  ヒートポンプ回路を二回路持つヒートポンプ式給湯装置の場合、給湯中に除霜条件が成立してしまうと、場合により給湯能力が低下するという不具合が発生する。【解決手段】  ヒートポンプ回路を２回路持つヒートポンプ式給湯装置において、それぞれの蒸発器の出口温度から２つの蒸発器が除霜に入るまでの時間を推定し、その推定値が設定値より小さくなった場合に主制御部８へ信号を出力する除霜開始時間差判定部１７を備え、この信号により、主制御部８が、各々の圧縮機を駆動する第１圧縮機制御部７と第２圧縮機駆動部９に正反対の指令（除霜が早く入る方の運転周波数を下げ、遅い方を上げる）を与えることにより、能力を一定に保ちつつ、除霜開始条件の成立を遅延させる事で、給湯中に除霜開始条件が成立することによる給湯能力の低下が発生する可能性を小さくする。【選択図】  図１
2005090785.tif 000002
【特許請求の範囲】
【請求項１】
第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第1冷媒対水熱交換器と第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１圧縮機制御部と前記第２圧縮機制御部と制御系全体とを制御する主制御部と、それぞれのヒートポンプ回路の除霜開始までの時間を推定し、その推定値が設定値以下かどうかを判定しその結果を前記主制御部に出力する除霜開始時間推定部とを備えたことを特徴とするヒートポンプ式給湯装置の除霜調節装置。
【請求項２】
第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第1冷媒対水熱交換器と第２冷媒対水熱交換器で加熱した湯水を貯留可能とする貯湯タンクと、前記貯湯タンクと前記第１冷媒対水熱交換器と前記第2冷媒対水熱交換器とにより所望の湯水を供給する給湯回路とを備えたヒートポンプ式給湯装置において、主制御部からの信号により前記第１膨張弁と前記第２膨張弁をそれぞれ制御する第１膨張弁制御部と第２膨張弁制御部と、前記第１膨張弁制御部と前記第２膨張弁制御部と制御系全体とを制御する主制御部と、それぞれのヒートポンプ回路の除霜開始までの時間を推定し、その推定値が設定値以下かどうかを判定しその結果を前記主制御部に出力する除霜開始時間推定部とを備えたことを特徴とするヒートポンプ式給湯装置の除霜調節装置。
【請求項３】
第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第1冷媒対水熱交換器と第２冷媒対水熱交換器で加熱した湯水を貯留可能とする貯湯タンクと、前記貯湯タンクと前記第１冷媒対水熱交換器と第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１膨張弁と前記第２膨張弁をそれぞれ制御する第１膨張弁制御部と第２膨張弁制御部と、前記第１圧縮機制御部と前記第２圧縮機制御部と前記第１膨張弁制御部と前記第２膨張弁制御部と制御系全体とを制御する主制御部と、それぞれのヒートポンプ回路の除霜開始までの時間を推定し、その推定値が設定値以下かどうかを判定しその結果を前記主制御部に出力する除霜開始時間推定部とを備えたことを特徴とするヒートポンプ式給湯装置の除霜調節装置。
【請求項４】
第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１ファンと前記第２ファンをそれぞれ制御する第１ファン制御部と第２ファン制御部と、前記第１圧縮機制御部と前記第２圧縮機制御部と前記第１ファン制御部と前記第２ファン制御部と制御系全体とを制御する主制御部と、それぞれ
のヒートポンプ回路の除霜開始までの時間を推定し、その推定値が設定値以下かどうかを判定しその結果を前記主制御部に出力する除霜開始時間推定部とを備えたことを特徴とするヒートポンプ式給湯装置の除霜調節装置。
【請求項５】
第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１ファンと前記第２ファンをそれぞれ制御する第１ファン制御部と第２ファン制御部と、前記第１膨張弁と前記第２膨張弁をそれぞれ制御する第１膨張弁制御部と第２膨張弁制御部と、前記第１ファン制御部と前記第２ファン制御部と前記第１膨張弁制御部と前記第２膨張弁制御部と制御系全体とを制御する主制御部と、それぞれのヒートポンプ回路の除霜開始までの時間を推定し、その推定値が設定値以下かどうかを判定しその結果を前記主制御部に出力する除霜開始時間推定部とを備えたことを特徴とするヒートポンプ式給湯装置の除霜調節装置。
【請求項６】
第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第1冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１ファンと前記第２ファンをそれぞれ制御する第１ファン制御部と第２ファン制御部と、前記第１膨張弁と前記第２膨張弁をそれぞれ制御する第１膨張弁制御部と第２膨張弁制御部と、前記第１圧縮機制御部と前記第２圧縮機制御部と前記第１ファン制御部と前記第２ファン制御部と前記第１膨張弁制御部と前記第２膨張弁制御部と制御系全体とを制御する主制御部と、それぞれのヒートポンプ回路の除霜開始までの時間を推定し、その推定値が設定値以下かどうかを判定しその結果を前記主制御部に出力する除霜開始時間推定部とを備えたことを特徴とするヒートポンプ式給湯装置の除霜調節装置。
【請求項７】
除霜開始時間推定部は、第１蒸発器と第２蒸発器の出口温度をそれぞれ第１温度センサと第２温度センサから獲得し、第１ヒートポンプ回路と第２ヒートポンプ回路の除霜を開始するまでの時間を推定し、その推定値を予め設定されている値と比較することを特徴とする請求項１から請求項７に記載のヒートポンプ式給湯装置の除霜調節装置。
【請求項８】
除霜開始時間推定部は、推定した時間との比較値を外部より入力可能とする外部入力部を備えることを特徴とする請求項８に記載のヒートポンプ式給湯装置の除霜調節装置。
【請求項９】
第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１圧縮機制御部と前記第２圧縮機制御部と制御系全体と
を制御する主制御部と、それぞれのヒートポンプ回路の除霜開始までの時間を推定し、その推定値が設定値以下かどうかを判定しその結果を前記主制御部に出力する除霜開始時間推定部とを備えたことを特徴とするヒートポンプ式給湯装置の除霜調節装置の制御方法。
【請求項１０】
第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１膨張弁と前記第２膨張弁をそれぞれ制御する第１膨張弁制御部と第２膨張弁制御部と、前記第１膨張弁制御部と前記第２膨張弁制御部と制御系全体とを制御する主制御部と、それぞれのヒートポンプ回路の除霜開始までの時間を推定し、その推定値が設定値以下かどうかを判定しその結果を前記主制御部に出力する除霜開始時間推定部とを備えたことを特徴とするヒートポンプ式給湯装置の除霜調節装置の制御方法。
【請求項１１】
第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１膨張弁と前記第２膨張弁をそれぞれ制御する第１膨張弁制御部と第２膨張弁制御部と、前記第１圧縮機制御部と前記第２圧縮機制御部と前記第１膨張弁制御部と前記第２膨張弁制御部と制御系全体とを制御する主制御部と、それぞれのヒートポンプ回路の除霜開始までの時間を推定し、その推定値が設定値以下かどうかを判定しその結果を前記主制御部に出力する除霜開始時間推定部とを備えたことを特徴とするヒートポンプ式給湯装置の除霜調節装置の制御方法。
【請求項１２】
第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１ファンと前記第２ファンをそれぞれ制御する第１ファン制御部と第２ファン制御部と、前記第１圧縮機制御部と前記第２圧縮機制御部と前記第１ファン制御部と前記第２ファン制御部と制御系全体とを制御する主制御部と、それぞれのヒートポンプ回路の除霜開始までの時間を推定し、その推定値が設定値以下かどうかを判定しその結果を前記主制御部に出力する除霜開始時間推定部とを備えたことを特徴とするヒートポンプ式給湯装置の除霜調節装置の制御方法。
【請求項１３】
第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器
とにより所望の湯水を供給する給湯回路とを備えたヒートポンプ式給湯装置において、主制御部からの信号により前記第１ファンと前記第２ファンをそれぞれ制御する第１ファン制御部と第２ファン制御部と、前記第１膨張弁と前記第２膨張弁をそれぞれ制御する第１膨張弁制御部と第２膨張弁制御部と、前記第１ファン制御部と前記第２ファン制御部と前記第１膨張弁制御部と前記第２膨張弁制御部と制御系全体とを制御する主制御部と、それぞれのヒートポンプ回路の除霜開始までの時間を推定し、その推定値が設定値以下かどうかを判定しその結果を前記主制御部に出力する除霜開始時間推定部とを備えたことを特徴とするヒートポンプ式給湯装置の除霜調節装置の制御方法。
【請求項１４】
第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１ファンと前記第２ファンをそれぞれ制御する第１ファン制御部と第２ファン制御部と、前記第１膨張弁と前記第２膨張弁をそれぞれ制御する第１膨張弁制御部と第２膨張弁制御部と、前記第１圧縮機制御部と前記第２圧縮機制御部と前記第１ファン制御部と前記第２ファン制御部と前記第１膨張弁制御部と前記第２膨張弁制御部と制御系全体とを制御する主制御部と、それぞれのヒートポンプ回路の除霜開始までの時間を推定し、その推定値が設定値以下かどうかを判定しその結果を前記主制御部に出力する除霜開始時間推定部とを備えたことを特徴とするヒートポンプ式給湯装置の除霜調節装置の制御方法。
【発明の詳細な説明】
【技術分野】
【０００１】
本発明はヒートポンプ式給湯装置の除霜調節装置と制御方法に係り、二つのヒートポンプ回路を有するヒートポンプ式給湯装置の除霜に関するものである。
【背景技術】
【０００２】
従来技術として空気調和機の除霜遅延方法を例に取り上げ説明する。
【０００３】
図１８  図１８は、従来の複数の室外機により構成される空気調和機における除霜遅延装置の構成を示した概略図である。
【０００４】
空気調和装置には、一つの室内ユニット内に備えられた室内熱交換器に対し、複数の室外ユニットのそれぞれに備えられた室外熱交換器が接続されて、複数の冷媒回路が構成されているものがある。
【０００５】
一般的に、暖房運転を継続した場合、室外熱交換器に着霜が発生する。着霜は、熱交換を妨げるものであるため、室外熱交換器の除霜をするために除霜運転が必要となる。
【０００６】
しかしながら、複数ある室外機が同時に除霜運転を行うと、暖房が持続できないため、同時除霜運転を避ける必要がある。そのため、第１室外ユニット１００ａ及び第２室外ユニット１００ｂのそれぞれに除霜を制御する手段である第１デフロストコントローラ１０１ａ及び第２デフロストコントローラ１０１ｂを設け、これらの除霜制御手段同士で除霜信号を授受することによって、第１室外ユニット１００ａと第２室外ユニット１００ｂを同時には除霜しないようにしている。（例えば、特許文献１参照）
【特許文献１】特開２００１−２７２０８３号公報
【発明の開示】
【発明が解決しようとする課題】
【０００７】
しかしながら、上記従来の構成では、除霜開始条件が成立する以前にはそれに関して何ら制御を行わず、除霜開始条件成立と同時に除霜動作を実施し、他方の室外機ユニットは、その後除霜開始条件が成立した状況においても、他の室外機が除霜を行っている場合は、現状の運転を強制され、能力が十分発揮できなくなるという不具合が発生する。
【０００８】
また、以上は空気調和装置に関し説明したが、この不具合は、二つのヒートポンプ回路を持つヒートポンプ式給湯装置についても同様のことが言える。
【０００９】
本発明は従来の課題を解決するもので、二つのヒートポンプ回路を持つヒートポンプ式給湯装置に関し、それぞれのヒートポンプ回路の除霜開始までの時間を推定し、その値が比較値より小さい場合は、事前にそれぞれのヒートポンプ回路の能力を調節し、給湯中はできうる限り、除霜開始条件が成立することを遅らせるヒートポンプ式給湯装置の除霜調節装置と制御方法を提供することにある。
【課題を解決するための手段】
【００１０】
本発明の請求項１に発明は、第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で
加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１圧縮機制御部と前記第２圧縮機制御部と制御系全体とを制御する主制御部と、それぞれのヒートポンプ回路の除霜開始までの時間を推定し、その推定値の差が予め設定した値より大きく、かつ、その推定値が設定値以下かどうかを判定しその結果を前記主制御部に出力する除霜開始時間推定部とを備えたことを特徴とするものであり、給湯中に一方の除霜が一定時間後に開始が予測される場合は、除霜の開始時期が近い方のヒートポンプ回路の圧縮機の運転周波数を下げることにより蒸発器の蒸発温度を上げることでより能力を下げ、除霜の開始時期を遅らせ、一方のヒートポンプ回路は、全体としての能力を一定とする為に、圧縮機の運転周波数を上げることにより蒸発器の蒸発温度を下げることで能力を上げる。
【００１１】
以上の制御手段を備える事により、ヒートポンプ式給湯装置全体としては能力を一定にしたまま、除霜開始条件の成立を遅延させる事ができ、給湯中の除霜の影響発生を遅らせることができるという作用を有する。
【００１２】
本発明の請求項２に記載の発明は、第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１膨張弁と前記第２膨張弁をそれぞれ制御する第１膨張弁制御部と第２膨張弁制御部と、前記第１膨張弁制御部と前記第２膨張弁制御部と制御系全体とを制御する主制御部と、それぞれのヒートポンプ回路の除霜開始までの時間を推定し、その推定値の差が予め設定した値より大きく、かつ、その推定値が設定値以下かどうかを判定しその結果を前記主制御部に出力する除霜開始時間推定部とを備えたことを特徴とするものであり、給湯中に一方の除霜が一定時間後に開始が予測される場合は、除霜の開始時期が近い方のヒートポンプ回路の膨張弁の開度を大きくすることにより蒸発器の蒸発温度を上げる事でより能力を下げ、除霜の開始時期を遅らせ、一方のヒートポンプ回路は、全体としての能力を一定とする為に、膨張弁の開度を小さくすることにより蒸発器の蒸発温度を下げることで能力を上げる。
【００１３】
以上の制御手段を備える事により、ヒートポンプ式給湯装置全体としては能力を一定にしたまま、除霜開始条件の成立を遅延させる事ができ、給湯中の除霜の影響発生を遅らせることができるという作用を有する。
【００１４】
本発明の請求項３に記載の発明は、第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１膨張弁と前記第２膨張弁をそれぞれ制御する第１膨張弁制御部と第２膨張弁制御部と、前記第１圧縮機制御部と前記第２圧縮機制御部と前記第１膨張弁制御部と前記第２膨張弁制御部と制御系全体とを制御する主制御部と、それぞれのヒートポンプ回路の除霜開始までの時間を推定し、その推定値の差が予め設定した値より大きく、かつ、その推定値が設定値以下かど
うかを判定しその結果を前記主制御部に出力する除霜開始時間推定部とを備えたことを特徴とするものであり、給湯中に一方の除霜が一定時間後に開始が予測される場合は、除霜の開始時期が近い方のヒートポンプ回路の圧縮機の運転周波数を下げる、或いは、膨張弁の開度を大きくすることにより蒸発器の蒸発温度を上げることで能力を下げ、除霜の開始時期を遅らせ、一方のヒートポンプ回路は、全体としての能力を一定とする為に、圧縮機の運転周波数を上げる、或いは、膨張弁の開度を小さくすることにより蒸発器の蒸発温度を下げることで能力を上げる。
【００１５】
以上の制御手段を備える事により、ヒートポンプ式給湯装置全体としては能力を一定にしたまま、除霜開始条件の成立を遅延させる事ができ、給湯中の除霜の影響発生を遅らせることができるという作用を有する。
【００１６】
本発明の請求項４に記載の発明は、第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１ファンと前記第２ファンをそれぞれ制御する第１ファン制御部と第２ファン制御部と、前記第１圧縮機制御部と前記第２圧縮機制御部と前記第１ファン制御部と前記第２ファン制御部と制御系全体とを制御する主制御部と、それぞれのヒートポンプ回路の除霜開始までの時間を推定し、その推定値の差が予め設定した値より大きく、かつ、その推定値が設定値以下かどうかを判定しその結果を前記主制御部に出力する除霜開始時間推定部とを備えたことを特徴とするものであり、給湯中に一方の除霜が一定時間後に開始が予測される場合は、除霜の開始時期が近い方のヒートポンプ回路の圧縮機の運転周波数を下げる、或いは、ファンの回転数を上げることにより蒸発器の蒸発温度を上げることで能力を下げ、除霜の開始時期を遅らせ、一方のヒートポンプ回路は、全体としての能力を一定とする為に、圧縮機の運転周波数を上げる、或いは、ファンの回転数を下げることにより蒸発器の蒸発温度を下げることで能力を上げる。
【００１７】
以上の制御手段を備える事により、給湯器全体としては能力を一定にしたまま、除霜開始条件の成立を遅延させる事ができ、給湯中の除霜の影響発生を遅らせることができるという作用を有する。
【００１８】
本発明の請求項５に記載の発明は、第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１ファンと前記第２ファンをそれぞれ制御する第１ファン制御部と第２ファン制御部と、前記第１膨張弁と前記第２膨張弁をそれぞれ制御する第１膨張弁制御部と第２膨張弁制御部と、前記第１ファン制御部と前記第２ファン制御部と前記第１膨張弁制御部と前記第２膨張弁制御部と制御系全体とを制御する主制御部と、それぞれのヒートポンプ回路の除霜開始までの時間を推定し、その推定値の差が予め設定した値より大きく、かつ、その推定値が設定値以下かどうかを判定しその結果を前記主制御部に出力する除霜開始時間推定部とを備えたことを特徴とするものであり、給湯中に一方の除霜が一定時間後に開始が予測される場合は、除霜
の開始時期が近い方のヒートポンプ回路の膨張弁の開度を大きくする、或いは、ファンの回転数を上げることにより蒸発器の蒸発温度を上げることで能力を下げ、除霜の開始時期を遅らせ、一方のヒートポンプ回路は、全体としての能力を一定とする為に、膨張弁の開度を小さくする、或いは、ファンの回転数を下げることにより蒸発器の蒸発温度を下げることでより能力を上げる。
【００１９】
以上の制御手段を備える事により、ヒートポンプ式給湯装置全体としては能力を一定にしたまま、除霜開始条件の成立を遅延させる事ができ、給湯中の除霜の影響発生を遅らせることができるという作用を有する。
【００２０】
本発明の請求項６に記載の発明は、第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１ファンと前記第２ファンをそれぞれ制御する第１ファン制御部と第２ファン制御部と、前記第１膨張弁と前記第２膨張弁をそれぞれ制御する第１膨張弁制御部と第２膨張弁制御部と、前記第１圧縮機制御部と前記第２圧縮機制御部と前記第１ファン制御部と前記第２ファン制御部と前記第１膨張弁制御部と前記第２膨張弁制御部と制御系全体とを制御する主制御部と、それぞれのヒートポンプ回路の除霜開始までの時間を推定し、その推定値の差が予め設定した値より大きく、かつ、その推定値が設定値以下かどうかを判定しその結果を前記主制御部に出力する除霜開始時間推定部とを備えたことを特徴とするものであり、給湯中に一方の除霜が一定時間後に開始が予測される場合は、除霜の開始時期が近い方のヒートポンプ回路の圧縮機の運転周波数を下げる、或いは、膨張弁の開度を大きくする、或いは、ファンの回転数を上げることにより蒸発器の蒸発温度を上げることで能力を下げ、除霜の開始時期を遅らせ、一方のヒートポンプ回路は、全体としての能力を一定とする為に、圧縮機の運転周波数を上げる、或いは、膨張弁の開度を小さくする、或いは、ファンの回転数を下げることにより蒸発器の蒸発温度を下げることでより能力を上げる。
【００２１】
以上の制御手段を備える事により、ヒートポンプ式給湯装置全体としては能力を一定にしたまま、除霜開始条件の成立を遅延させる事ができ、給湯中の除霜の影響発生を遅らせることができるという作用を有する。
【００２２】
本発明の請求項７に記載の発明は、除霜開始時間差判定部は、第１蒸発器と第２蒸発器の出口温度を第１温度センサと第２温度センサにより検出し、第１ヒートポンプ回路と第２ヒートポンプ回路の除霜を開始するまでの時間を推定し、その推定値を予め設定されている値と比較することを特徴としたものであり、従来のヒートポンプ回路に具備されている検出器等を利用するため、特別な追加コスト等が発生しないという作用を有する。
【００２３】
本発明の請求項８に記載の発明は、除霜開始時間推定部は、推定した時間と比較する値を外部より入力可能とする外部入力部を備えることを特徴としたものであり、使用状況に合わせた除霜の調整が現場で可能となるという作用を有する。
【００２４】
本発明の請求項９に記載の発明は、第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交
換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１圧縮機制御部と前記第２圧縮機制御部と制御系全体とを制御する主制御部と、それぞれのヒートポンプ回路の除霜開始までの時間を推定し、その推定値の差が予め設定した値より大きく、かつ、その推定値が設定値以下かどうかを判定しその結果を前記主制御部に出力する除霜開始時間推定部とを備えたヒートポンプ式給湯装置の除霜調節装置の制御方法において、給湯中に一方の除霜が一定時間後に開始が予測される場合は、双方の圧縮機の運転周波数を制御することを特長とするものであり、給湯中に一方の除霜が一定時間後に開始が予測される場合は、除霜の開始時期が近い方のヒートポンプ回路の圧縮機の運転周波数を下げることにより蒸発器の蒸発温度を上げることで能力を下げ、除霜の開始時期を遅らせ、一方のヒートポンプ回路は、全体としての能力を一定とする為に、圧縮機の運転周波数を上げることにより蒸発器の蒸発温度を下げることで能力を上げる。
【００２５】
以上の制御方法をとる事により、ヒートポンプ式給湯装置全体としては能力を一定にしたまま、除霜開始条件の成立を遅延させる事ができ、給湯中の除霜の影響発生を遅らせることができるという作用を有する。
【００２６】
本発明の請求項１０に記載の発明は、第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１膨張弁と前記第２膨張弁をそれぞれ制御する第１膨張弁制御部と第２膨張弁制御部と、前記第１膨張弁制御部と前記第２膨張弁制御部と制御系全体とを制御する主制御部と、それぞれのヒートポンプ回路の除霜開始までの時間を推定し、その推定値の差が予め設定した値より大きく、かつ、その推定値が設定値以下かどうかを判定しその結果を前記主制御部に出力する除霜開始時間推定部とを備えたヒートポンプ式給湯装置の除霜調節装置の制御方法において、給湯中に一方の除霜が一定時間後に開始が予測される場合は、双方の膨張弁の開度を制御することを特長とするものであり、給湯中に一方の除霜が一定時間後に開始が予測される場合は、除霜の開始時期が近い方のヒートポンプ回路の膨張弁の開度を大きくすることにより蒸発器の蒸発温度を上げることで能力を下げ、除霜の開始時期を遅らせ、一方のヒートポンプ回路は、全体としての能力を一定とする為に、膨張弁の開度を小さくすることにより蒸発器の蒸発温度を下げることでより能力を上げる。
【００２７】
以上の制御方法をとる事により、ヒートポンプ式給湯装置全体としては能力を一定にしたまま、除霜開始条件の成立を遅延させる事ができ、給湯中の除霜の影響発生を遅らせることができるという作用を有する。
【００２８】
本発明の請求項１１に記載の発明は、第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１膨張弁と
前記第２膨張弁をそれぞれ制御する第１膨張弁制御部と第２膨張弁制御部と、前記第１圧縮機制御部と前記第２圧縮機制御部と前記第１膨張弁制御部と前記第２膨張弁制御部と制御系全体とを制御する主制御部と、それぞれのヒートポンプ回路の除霜開始までの時間を推定し、その推定値の差が予め設定した値より大きく、かつ、その推定値が設定値以下かどうかを判定しその結果を前記主制御部に出力する除霜開始時間推定部とを備えたヒートポンプ式給湯装置の除霜調節装置の制御方法において、給湯中に一方の除霜が一定時間後に開始が予測される場合は、双方の圧縮機の運転周波数と膨張弁の開度を制御することを特長とするものであり、給湯中に一方の除霜が一定時間後に開始が予測される場合は、除霜の開始時期が近い方のヒートポンプ回路の圧縮機の運転周波数を下げる、或いは、膨張弁の開度を大きくすることにより蒸発器の蒸発温度を上げることで能力を下げ、除霜の開始時期を遅らせ、一方のヒートポンプ回路は、全体としての能力を一定とする為に、圧縮機の運転周波数を上げる、或いは、膨張弁の開度を小さくすることにより蒸発器の蒸発温度を下げることで能力を上げる。
【００２９】
以上の制御方法をとる事により、ヒートポンプ式給湯装置全体としては能力を一定にしたまま、除霜開始条件の成立を遅延させる事ができ、給湯中の除霜の影響発生を遅らせることができるという作用を有する。
【００３０】
本発明の請求項１２に記載の発明は、第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１ファンと前記第２ファンをそれぞれ制御する第１ファン制御部と第２ファン制御部と、前記第１圧縮機制御部と前記第２圧縮機制御部と前記第１ファン制御部と前記第２ファン制御部と制御系全体とを制御する主制御部と、それぞれのヒートポンプ回路の除霜開始までの時間を推定し、その推定値の差が予め設定した値より大きく、かつ、その推定値が設定値以下かどうかを判定しその結果を前記主制御部に出力する除霜開始時間推定部とを備えたヒートポンプ式給湯装置の除霜調節装置の制御方法において、給湯中に一方の除霜が一定時間後に開始が予測される場合は、双方の圧縮機の運転周波数とファンの回転数を制御することを特長とするものであり、給湯中に一方の除霜が一定時間後に開始が予測される場合は、除霜の開始時期が近い方のヒートポンプ回路の圧縮機の運転周波数を下げる、或いは、ファンの回転数を上げることにより蒸発器の蒸発温度を上げることで能力を下げ、除霜の開始時期を遅らせ、一方のヒートポンプ回路は、全体としての能力を一定とする為に、圧縮機の運転周波数を上げる、或いは、ファンの回転数を下げることにより蒸発器の蒸発温度を下げることで能力を上げる。
【００３１】
以上の制御方法をとる事により、ヒートポンプ式給湯装置全体としては能力を一定にしたまま、除霜開始条件の成立を遅延させる事ができ、給湯中の除霜の影響発生を遅らせることができるという作用を有する。
【００３２】
本発明の請求項１３に記載の発明は、第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備え
たヒートポンプ式給湯装置において、主制御部からの信号により前記第１ファンと前記第２ファンをそれぞれ制御する第１ファン制御部と第２ファン制御部と、前記第１膨張弁と前記第２膨張弁をそれぞれ制御する第１膨張弁制御部と第２膨張弁制御部と、前記第１ファン制御部と前記第２ファン制御部と前記第１膨張弁制御部と前記第２膨張弁制御部と制御系全体とを制御する主制御部と、それぞれのヒートポンプ回路の除霜開始までの時間を推定し、その推定値の差が予め設定した値より大きく、かつ、その推定値が設定値以下かどうかを判定しその結果を前記主制御部に出力する除霜開始時間推定部とを備えたヒートポンプ式給湯装置の除霜調節装置の制御方法において、給湯中に一方の除霜が一定時間後に開始が予測される場合は、双方の膨張弁の開度とファンの回転数を制御することを特長とするものであり、給湯中に一方の除霜が一定時間後に開始が予測される場合は、除霜の開始時期が近い方のヒートポンプ回路の膨張弁の開度を大きくする、或いは、ファンの回転数を上げることにより蒸発器の蒸発温度を上げることで能力を下げ、除霜の開始時期を遅らせ、一方のヒートポンプ回路は、全体としての能力を一定とする為に、膨張弁の開度を小さくする、或いは、ファンの回転数を下げることにより蒸発器の蒸発温度を下げることで能力を上げる。
【００３３】
以上の制御方法をとる事により、ヒートポンプ式給湯装置全体としては能力を一定にしたまま、除霜開始条件の成立を遅延させる事ができ、給湯中の除霜の影響発生を遅らせることができるという作用を有する。
【００３４】
本発明の請求項１４に記載の発明は、第１圧縮機、第１冷媒対水熱交換器、第１膨張弁、第１蒸発器、前記第１蒸発器用の第１ファンとを備えた第１ヒートポンプ回路と、第２圧縮機、第２冷媒対水熱交換器、第２膨張弁、第２蒸発器、前記第２蒸発器用の第２ファンとを備えた第２ヒートポンプ回路と、前記第１冷媒対水熱交換器と前記第２冷媒対水熱交換器で加熱した湯水を貯留可能とする貯湯タンクと、前記貯湯タンクと前記第１冷媒対水熱交換器と前記第２冷媒対水熱交換器とにより所望の湯水を供給する給湯回路とを備えたヒートポンプ式給湯装置において、主制御部からの信号により前記第１圧縮機と前記第２圧縮機をそれぞれ制御する第１圧縮機制御部と第２圧縮機制御部と、前記第１ファンと前記第２ファンをそれぞれ制御する第１ファン制御部と第２ファン制御部と、前記第１膨張弁と前記第２膨張弁をそれぞれ制御する第１膨張弁制御部と第２膨張弁制御部と、前記第１圧縮機制御部と前記第２圧縮機制御部と前記第１ファン制御部と前記第２ファン制御部と前記第１膨張弁制御部と前記第２膨張弁制御部と制御系全体とを制御する主制御部と、それぞれのヒートポンプ回路の除霜開始までの時間を推定し、その推定値の差が予め設定した値より大きく、かつ、その推定値が設定値以下かどうかを判定しその結果を前記主制御部に出力する除霜開始時間推定部とを備えたヒートポンプ式給湯装置の除霜調節装置の制御方法において、給湯中に一方の除霜が一定時間後に開始が予測される場合は、双方の圧縮機の運転周波数と膨張弁の開度とファンの回転数を制御することを特長とするものであり、給湯中に一方の除霜が一定時間後に開始が予測される場合は、除霜の開始時期が近い方のヒートポンプ回路の圧縮機の運転周波数を下げる、或いは、膨張弁の開度を大きくする、或いは、ファンの回転数を上げることにより蒸発器の蒸発温度を上げることで能力を下げ、除霜の開始時期を遅らせ、一方のヒートポンプ回路は、全体としての能力を一定とする為に、圧縮機の運転周波数を上げる、或いは、膨張弁の開度を小さくする、或いは、ファンの回転数を下げることにより蒸発器の蒸発温度を下げることでより能力を上げる。
【００３５】
以上の制御方法をとる事により、ヒートポンプ式給湯装置全体としては能力を一定にしたまま、除霜開始条件の成立を遅延させる事ができ、給湯中の除霜の影響発生を遅らせることができるという作用を有する。
【発明の効果】
【００３６】
以上説明したように請求項１に記載の発明は、二つの独立したヒートポンプ回路の除霜の実施時期をそれぞれ推定し、その推定値の差が予め設定した値より大きく、かつ、開始までの時間が予め設定している値より短い場合を検出し、圧縮機の周波数を制御する制御手段を備えたことから、給湯中は、全体としては能力を一定にしたまま、除霜開始条件の成立を遅延することができ、給湯中に除霜開始条件が成立し、給湯動作に支障をきたすことを防ぐことができる。
【００３７】
また、請求項２に記載の発明は、二つの独立したヒートポンプ回路の除霜の実施時期をそれぞれ推定し、その推定値の差が予め設定した値より大きく、かつ、開始までの時間が予め設定している値より短い場合を検出し、膨張弁の開度を制御する制御手段を備えたことから、給湯中は、全体としては能力を一定にしたまま、除霜開始条件の成立を遅延することができ、給湯中に除霜開始条件が成立し、給湯動作に支障をきたすことを防ぐことができる。
【００３８】
加えて、この制御手段を備える事により、圧縮機が一定速の装置においても、効果を得ることができる。
【００３９】
また、請求項３に記載の発明は、二つの独立したヒートポンプ回路の除霜の実施時期をそれぞれ推定し、その推定値の差が予め設定した値より大きく、かつ、開始までの時間が予め設定している値より短い場合を検出し、圧縮機の周波数と膨張弁の開度を制御する制御手段を備えたことから、給湯中は、全体としては能力を一定にしたまま、除霜開始条件の成立を遅延することができ、給湯中に除霜開始条件が成立し、給湯動作に支障をきたすことを防ぐことができる。
【００４０】
加えて、この制御手段を備える事により、圧縮機による能力調節が困難である状況においても膨張弁による能力調節を行うことにより、何れか一つで能力調節を行う場合に比較し、更に広い運転条件で効果を得ることができる。
【００４１】
また、請求項４に記載の発明は、二つの独立したヒートポンプ回路の除霜の実施時期をそれぞれ推定し、その推定値の差が予め設定した値より大きく、かつ、開始までの時間が予め設定している値より短い場合を検出し、圧縮機の運転周波数とファンの回転数を制御する制御手段を備えたことから、給湯中は、全体としては能力を一定にしたまま、除霜開始条件の成立を遅延することができ、給湯中に除霜開始条件が成立し、給湯動作に支障をきたすことを防ぐことができる。
【００４２】
加えて、この制御手段を備える事により、圧縮機による能力調節が困難である状況でもファンによる能力調節を行うことにより、何れか一つで能力調節を行う場合に比較し、更に広い運転条件で効果を得ることができる。
【００４３】
また、請求項５に記載の発明は、二つの独立したヒートポンプ回路の除霜の実施時期をそれぞれ推定し、その推定値の差が予め設定した値より大きく、かつ、開始までの時間が予め設定している値より短い場合を検出し、膨張弁の開度とファンの回転数を制御する制御手段を備えたことから、給湯中は、全体としては能力を一定にしたまま、除霜開始条件の成立を遅延することができ、給湯中に除霜開始条件が成立し、給湯動作に支障をきたすことを防ぐことができる。
【００４４】
加えて、この制御手段を備える事により、ファンによる能力調節が困難である状況でも膨張弁による能力調節を行うことにより、何れか一つで能力調節を行う場合に比較し、更に広い動作条件で効果を得ることができる。
【００４５】
また、請求項６に記載の発明は、二つの独立したヒートポンプ回路の除霜の実施時期をそれぞれ推定し、その推定値の差が予め設定した値より大きく、かつ、開始までの時間が予め設定している値より短い場合を検出し、圧縮機の周波数と膨張弁の開度とファンの回転数を制御する制御手段を備えたことから、給湯中は、全体としては能力を一定にしたまま、除霜開始条件の成立を遅延することができ、給湯中に除霜開始条件が成立し、給湯動作に支障をきたすことを防ぐことができる。
【００４６】
加えて、この制御手段を備える事により、圧縮機、膨張弁及びファンによる能力調節が行え、更に広い運転条件で効果を得ることができる。
【００４７】
また、本発明の請求項７に記載の発明は、除霜開始時間推定部は、第１蒸発器と第２蒸発器の出口を第１温度センサ及び第２温度センサ温度とから検出し、第１ヒートポンプ回路と第２ヒートポンプ回路の除霜を開始するまでの時間を推定するので、従来のヒートポンプ回路に具備されている検出器を利用するため、特別な追加コスト等が発生しないなかで実現できる。
【００４８】
また、本発明の請求項８に記載の発明は、除霜開始時間推定部の比較値を外部より入力を可能とすることで、使用状況に応じて、適切な除霜の調整ができる。
【００４９】
また、請求項９に記載の発明は、二つの独立したヒートポンプ回路の除霜の実施時期をそれぞれ推定し、その推定値の差が予め設定した値より大きく、かつ、開始までの時間が予め設定している値より短い場合を検出し、その結果に従い、圧縮機の運転周波数を制御することから、給湯中は、全体としては能力を一定にしたまま、除霜開始条件の成立を遅延することができ、給湯中に除霜開始条件が成立し、給湯動作に支障をきたすことを防ぐことができる。
【００５０】
また、請求項１０に記載の発明は、二つの独立したヒートポンプ回路の除霜の実施時期をそれぞれ推定し、その推定値の差が予め設定した値より大きく、かつ、開始までの時間が予め設定している値より短い場合を検出し、その結果に従い、膨張弁の開度を制御することから、給湯中は、全体としては能力を一定にしたまま、除霜開始条件の成立を遅延することができ、給湯中に除霜開始条件が成立し、給湯動作に支障をきたすことを防ぐことができる。
【００５１】
加えて、この制御を行う事により、圧縮機が一定速の装置においても、効果を得ることができる。
【００５２】
また、請求項１１に記載の発明は、二つの独立したヒートポンプ回路の除霜の実施時期をそれぞれ推定し、その推定値の差が予め設定した値より大きく、かつ、開始までの時間が予め設定している値より短い場合を検出し、圧縮機の周波数と膨張弁の開度を制御することから、給湯中は、全体としては能力を一定にしたまま、除霜開始条件の成立を遅延することができ、給湯中に除霜開始条件が成立し、給湯動作に支障をきたすことを防ぐことができる。
【００５３】
加えてこの制御を行う事により、圧縮機による能力調節が困難である状況でも膨張弁による能力調節を行うことにより、何れか一つで能力調節を行う場合に比較し、更に広い運転条件で効果を得ることができる。
【００５４】
また、請求項１２に記載の発明は、二つの独立したヒートポンプ回路の除霜の実施時期をそれぞれ推定し、その推定値の差が予め設定した値より大きく、かつ、開始までの時間が予め設定している値より短い場合を検出し、圧縮機の周波数とファンの回転数を制御す
ることから、給湯中は、全体としては能力を一定にしたまま、除霜開始条件の成立を遅延することができ、給湯中に除霜開始条件が成立し、給湯動作に支障をきたすことを防ぐことができる。
【００５５】
加えてこの制御を行う事により、圧縮機による能力調節が困難である状況でもファンによる能力調節を行うことにより、何れか一つで能力調節を行う場合に比較し、更に広い運転条件で効果を得ることができる。
【００５６】
また、請求項１３に記載の発明は、二つの独立したヒートポンプ回路の除霜の実施時期をそれぞれ推定し、その推定値の差が予め設定した値より大きく、かつ、開始までの時間が予め設定している値より短い場合を検出し、膨張弁の開度とファンの回転数を制御することから、給湯中は、全体としては能力を一定にしたまま、除霜開始条件の成立を遅延することができ、給湯中に除霜開始条件が成立し、給湯動作に支障をきたすことを防ぐことができる。
【００５７】
加えてこの制御を行う事により、ファンによる能力調節が困難である状況でも膨張弁による能力調節を行うことにより、何れか一つで能力調節を行う場合に比較し、更に広い運転条件で効果を得ることができる。
【００５８】
また、請求項１４に記載の発明は、二つの独立したヒートポンプ回路の除霜の実施時期をそれぞれ推定し、その推定値の差が予め設定した値より大きく、かつ、開始までの時間が予め設定している値より短い場合を検出し、圧縮機の周波数とファンの回転数と膨張弁の開度を制御することから、給湯中は、全体としては能力を一定にしたまま、除霜開始条件の成立を遅延することができ、給湯中に除霜開始条件が成立し、給湯動作に支障をきたすことを防ぐことができる。
【００５９】
加えてこの制御を行う事により、圧縮機、膨張弁及びファンによる能力調節が行え、更に広い動作条件で効果を得ることができる。
【発明を実施するための最良の形態】
【００６０】
以下、本発明による実施の形態について図面を参照しながら説明する。なお、従来と同一構成については、同一符号を付して詳細な説明を省略する。
【００６１】
（実施の形態１）
図１は、本発明の実施の形態１によるヒートポンプ式給湯装置の回路と制御要素の構成を示した概略図である。
【００６２】
図２は、除霜開始時間推定部１７の処理内容を示すフローチャートである。
【００６３】
図３は、主制御部８の一部の機能である除霜遅延制御の処理内容を示すフローチャートである。
【００６４】
ここで、第１圧縮器１及び第２圧縮器は、速度制御が可能なものである。
【００６５】
ヒートポンプ式給湯装置３２の動作概要について図１を用いて説明する。
【００６６】
図１に示すように、ヒートポンプ式給湯装置３２は、ヒートポンプユニット３３、給湯回路３４、蛇口３０、給水弁３１で構成されている。
【００６７】
ヒートポンプユニット３３は、第１ヒートポンプ回路１８と第２ヒートポンプ回路１９
とそれらを制御する制御回路３５で構成されている。
【００６８】
第１ヒートポンプ回路１８は、第１圧縮機１、第１冷媒対水熱交換器３６、第１膨張弁３、第１蒸発器４が冷媒管により環状に順次配設されて構成されている。
【００６９】
第２ヒートポンプ回路１９は、第２圧縮機１０、第２冷媒対水熱交換器３７、第２膨張弁１２、第２蒸発器１３が冷媒管により環状に順次配設されて構成されている。
【００７０】
第１圧縮機１及び第２圧縮機１０は冷媒を圧縮し、第１冷媒対水熱交換器３６及び第２冷媒対水熱交換器３７は第１圧縮機１及び第２圧縮機１０から吐出された冷媒の熱により水を加熱する。第１膨張弁３及び第２膨張弁１２は第１冷媒対水熱交換器３６及び第２冷媒対水熱交換器３７で熱交換した冷媒を減圧させる。
【００７１】
第１蒸発器４及び第２蒸発器１３は、空気中の熱を冷媒に取り込む。
【００７２】
次に給湯回路３４について説明する。
【００７３】
給湯回路３４は、貯湯タンク２５と、給水弁３１から貯湯タンク２５の下部を通って第２冷媒対水熱交換機３７に湯水を送るポンプ２７と、第２冷媒対水熱交換器３７及び第１冷媒対水熱交換器３６で加熱した湯水を貯湯タンク２５に導く貯湯弁２６と、第２冷媒対水熱交換器３７及び第１冷媒対水熱交換器３６で加熱した湯水を貯湯タンク２５に蓄えられている湯水と混合し調節弁２９へ送る混合弁２８と、混合弁２８からの湯水と給水弁３１からの水道水を混合し必要な湯温に調節する調節弁２９と、温度調節された湯水を取り出す蛇口３０により構成される。
【００７４】
次にヒートポンプ式給湯装置３２の給湯方法の概要について説明する。
【００７５】
本実施の形態におけるヒートポンプ式給湯装置は、装置の小型化を狙い、貯湯タンク２５を小型とし、その分ヒートポンプ回路の能力を大きくしたものである。よって、大型の貯湯タンクを持つタイプのヒートポンプ式給湯装置の様に十分な高温のお湯が蓄えることはできない。
【００７６】
給湯開始時は、ヒートポンプ回路による加熱が不十分であるため、貯湯タンク２５に蓄えられている湯水を用いて所望の給湯温度とし給湯を開始するが、ヒートポンプ回路による加熱能力の増加に従い、除々に、ヒートポンプユニット３３からの出湯の割合を増加させていき、最終的には、ヒートポンプユニット３３による給湯のみに切りかえる方法をとる。
【００７７】
ところで、給湯を行った場合、特に冬季においては外気温度が低いため、第１蒸発器４或いは第２蒸発器１３に霜が蓄積されヒートポンプユニット３３の加熱能力が低下するため、除霜動作が必要となる。
【００７８】
本実施の形態の除霜動作における除霜開始の条件の一例では、第１ヒートポンプ回路１８では、主制御部８は第１蒸発器４の出口温度を第１温度センサ６で検出し、この温度が予め設定された温度を下回る場合には除霜が必要と判断する。
また、第２ヒートポンプ回路１９では、主制御部８は第２蒸発器１３の出口温度を第２温度センサ１５で検出し、この温度が予め設定された温度を下回る場合には除霜が必要と判断する。
【００７９】
ところで、給湯中に除霜開始条件が成立した場合は除霜が開始される、或いは、除霜開
始条件が成立している状態で除霜が延期されるため、場合によっては出湯温度或いは出湯量において、必要な能力が得られない場合が発生する。
【００８０】
上記不具合を改善するものが制御回路３５の一部の機能である除霜遅延制御である。以下、制御回路３５の除霜遅延に関係する処理内容について説明する。
【００８１】
以下では、除霜開始時間推定部１７の処理内容に関し図２のフローチャートを用いて説明する。
【００８２】
ここで、除霜開始時間推定部１７は、ある設定された周期（例えば１分毎）により実施される。
【００８３】
まず、ステップ１では第１温度センサ６により今回の第１蒸発器４の出口温度（ｔ１０）を検出しステップ２へ進む。ステップ２では、今回検出された出口温度（ｔ１０）と前回検出された出口温度（ｔ１１）から、温度の変化率を（式１）に従い計算し、ステップ３へ進む。
【００８４】
Δｔ１＝ｔ１０−ｔ１１    （１）
ステップ３では、ステップ２で求めた温度勾配（Δｔ１）の正負を判定する。温度勾配が正である場合は、出口温度が上昇している過程であるから、ステップ５へ進む。  一方、温度勾配（Δｔ１）が負である場合には出口温度が下がっている過程であるので、ステップ４へ進む。ステップ４では、ステップ２で求めた温度勾配（Δｔ１）と今回の第１蒸発器４出口温度（ｔ１０）から、予め設定されている判定値（Ｔｓｅｔ）に到達する時間（ｔ１）を（式２）に従い計算し、ステップ５へ進む。
【００８５】
ｔ１＝（Ｔｓｅｔ−ｔ１０）／Δｔ１      （２）
ステップ５では、今回の出口温度（ｔ１０）を前回の第１蒸発器４の出口温度（ｔ１１）に格納し、次回の演算に備えステップ６へ進む。ステップ６では第２温度センサ１５により第２蒸発器１３の出口温度（ｔ２０）を検出しステップ７へ進む。ステップ７では、今回検出された出口温度（ｔ２０）と前回検出された出口温度（ｔ２１）から、温度勾配を（式３）に従い計算し、ステップ８へ進む。
【００８６】
Δｔ２＝ｔ２０−ｔ２１              （３）
ステップ８では、ステップ７で求めた温度勾配（Δｔ２）の正負を判定する。温度勾配（Δｔ２）が正である場合は、出口温度が上昇している過程であるから、ステップ１０へ進む。一方、温度変化率（Δｔ２）が負である場合には出口温度が下がっている過程であるので、ステップ９へ進む。  ステップ９では、ステップ７で求めた温度勾配（Δｔ２）と今回の第２蒸発器１３の出口温度（ｔ２０）から、予め設定されている判定値（Ｔｓｅｔ）に到達する時間（ｔ２）を（式４）に従い計算し、ステップ１０へ進む。
【００８７】
ｔ２＝（Ｔｓｅｔ−ｔ２０）／Δｔ２          （４）
ステップ１０では、今回の第２蒸発器１３の出口温度（ｔ２０）を前回の第２蒸発器１３の出口温度（ｔ２１）に格納し、次回の演算に備えステップ１１へ進む。ステップ１１では、それぞれの蒸発器の除霜が開始されるまでの時間の差（ｔｓａ）を（式５）に従い計算し、ステップ１２へ進む。
【００８８】
ｔｓａ＝｜ｔ１−ｔ２｜            （５）
ステップ１２では、予め設定されている比較値（Ｔｓａ）とステップ１１で求めた時間差（ｔｓａ）を比較し、ｔｓａがＴｓａよりも大きい場合は、ステップ１３へ進み、そうでない場合はステップ１７へ進む。ここで、比較値（Ｔｓａ）と比べているのは、本制御
が、双方の除霜開始を近づける動作をする為、この差があまりに少ない場合には、除霜時期を同時期に導く等の不都合がある為である。ステップ１３では、ステップ４で求めた第１蒸発器４の除霜開始までの時間ｔ１とステップ８で求めた第２蒸発器１３の除霜開始までの時間ｔ２を比べ、ｔ１が小さい場合はステップ１４へ進み、そうでない場合はステップ１５へ進む。ステップ１４では、予め設定されている時間（Ｔｓｔａｒｔ）とステップ４で求めた第１蒸発器４の除霜開始までの時間ｔ１を比較し、第１蒸発器４の除霜開始までの時間（ｔ１）が設定時間（Ｔｓｔａｒｔ）より小さい場合は、ステップ１６へ進み、そうでない場合はステップ１７へ進む。一方、ステップ１５では、予め設定されている時間（Ｔｓｔａｒｔ）とステップ９で求めた第２蒸発器１３の除霜開始までの時間ｔ２を比較し、第２蒸発器１３の除霜開始までの時間（ｔ２）が予め設定されている時間（Ｔｓｔａｒｔ）より小さい場合は、ステップ１６へ進み、そうでない場合はステップ１７へ進む。
【００８９】
ステップ１６では、主制御部８に対し、除霜開始が近い蒸発器の判別情報と除霜遅延制御を要請し処理を終了する。一方、ステップ１７では、主制御部８に対し除霜遅延制御停止を要請し、処理を終了する。
【００９０】
次に、除霜開始時間推定部１７から、除霜遅延制御、或いは除霜遅延制御停止の何れかの要請を受けた場合の主制御部８の動作を図３のフローチャートを用いて説明する。
【００９１】
主制御部８における除霜遅延制御は、ある設定された周期（例えば１分毎）により実施される。
【００９２】
ステップ１では、除霜開始時間推定部１７から除霜遅延制御が要請された場合はステップ２へ進み、除霜遅延制御停止が要請された場合は終了する。ステップ２では、除霜開始時間推定部１７からの蒸発器判別情報に従い第１蒸発器４の除霜の開始が近い場合はステップ３に進み、第２蒸発器１３の除霜の開始が近い場合はステップ７へ進む。ステップ３では、第１圧縮機１の運転周波数を下げることが可能かどうかを判定し、可能である場合はステップ４へ進み、不可能である場合は終了する。ステップ４では、第２圧縮機１０の運転周波数を上げることが可能かどうかを判定し、可能である場合はステップ５へ進み、不可能である場合は終了する。ステップ５では、第１圧縮機制御部７に対し、予め設定された周波数分だけ運転周波数を下げる指示を行いステップ６へ進む。ステップ６では、第２圧縮機制御部９に対し、予め設定された周波数分だけ運転周波数を上げる指示を行い終了する。一方、ステップ７では、第２圧縮機１０の運転周波数を下げることが可能かどうかを判定し、可能である場合はステップ８へ進み、不可能である場合は終了する。ステップ８では、第１圧縮機１の運転周波数を上げることが可能かどうかを判定し、可能である場合はステップ９へ進み、不可能である場合は終了する。ステップ９では、第２圧縮機制御部９に対し、予め設定された周波数分だけ運転周波数を下げる指示を行いステップ１０へ進む。ステップ１０では、第１圧縮機制御部７に対し、予め設定された周波数分だけ運転周波数を上げる指示を行い処理は終了する。
【００９３】
以上説明したように、第１蒸発器４の除霜が開始されるまでの時間と第２蒸発器１３の除霜が開始されるまでの時間を推定し、その推定値の差（ｔｓａ）が予め設定した値（Ｔｓａ）より大きく、かつ、何れかの時間の推定値（ｔ１或いはｔ２）が、予め設定している値（Ｔｓｔａｒｔ）より小さい場合に、第１圧縮機制御部７と第２圧縮機制御部９に周波数変更指令を出すことにより、除霜開始時間の近い蒸発器は能力を減少させる事により着霜の速度が遅くなり、除霜開始時間が遅れる方向となり、一方、除霜開始時間の遅い蒸発器については、能力を上げる事により、全体としての能力を一定とする事ができる。
【００９４】
以上の実施の形態によれば、全体としては能力を一定にしたまま、除霜開始が近づいて
いる蒸発器の除霜開始条件の成立を遅延させることができ、その結果、給湯中の除霜開始条件の成立により給湯能力が低下する可能性を低くすることができる。
【００９５】
（実施の形態２）
図４は、本発明の実施の形態２によるヒートポンプ式給湯装置の回路と制御要素の構成を示した概略図である。
【００９６】
図５は、主制御部４０の一部の機能である除霜遅延制御の処理内容を示すフローチャートである。
【００９７】
ヒートポンプ式給湯装置３２全体の動作概要と除霜開始時間推定部１７の処理内容は実施の形態１での説明と同一のため、説明は省略する。ただし、本実施の形態２における第１膨張弁及び第２膨張弁は、電動膨張弁であり、任意の絞りとする事ができるものである。
【００９８】
除霜開始時間推定部１７から、除霜遅延制御或いは除霜遅延制御停止の何れかの要請を受けた場合の主制御部４０の動作を図５のフローチャートを用いて説明する。
【００９９】
主制御部４０における除霜遅延制御は、ある設定された周期（例えば１分毎）により実施される。
【０１００】
ステップ１では、除霜開始時間推定部１７から除霜遅延制御が要請されている場合はステップ２へ進み、除霜遅延制御の停止が要請されている場合は終了する。ステップ２では、除霜開始時間推定部１７からの蒸発器判別情報に従い第１蒸発器４の除霜の開始が近い場合はステップ３に進み、第２蒸発器１３の除霜の開始が近い場合はステップ７へ進む。ステップ３では、第１膨張弁３の開度を大きくすることが可能かどうかを判定し、可能である場合はステップ４へ進み、不可能である場合は終了する。ステップ４では、第２膨張弁１２の開度を小さくすることが可能かどうかを判定し、可能である場合はステップ５へ進み、不可能である場合は終了する。ステップ５では、第１圧膨張弁制御部２０に対し、予め設定された開度分だけ膨張弁開度を大きくする指示を行いステップ６へ進む。ステップ６では、第２膨張弁制御部２１に対し、予め設定された開度分だけ膨張弁開度を小さくする指示を行い処理を終了する。一方、ステップ７では、第２膨張弁１２の開度を大きくすることが可能かどうかを判定し、可能である場合はステップ８へ進み、不可能である場合は終了する。ステップ８では、第１膨張弁３の開度を小さくすることが可能かどうかを判定し、可能である場合はステップ９へ進み、不可能である場合は終了する。ステップ９では、第２膨張弁制御部２１に対し、予め設定された開度分だけ膨張弁開度を大きくする指示を行いステップ１０へ進む。ステップ１０では、第１膨張弁制御部２０に対し、予め設定された開度分だけ膨張弁開度を小さくする指示を行い処理は終了する。
【０１０１】
以上説明した様に、第１蒸発器４の除霜が開始されるまでの時間と第２蒸発器１３の除霜が開始されるまでの時間を推定し、その推定値の差（ｔｓａ）が予め設定した値（Ｔｓａ）より大きく、かつ、何れかの時間の推定値（ｔ１或いはｔ２）が、予め設定している値（Ｔｓｔａｒｔ）より小さい場合に、第１膨張弁制御部２０と第２膨張弁制御部２１に膨張弁開度変更指令を出すことで、除霜開始時間の近い蒸発器は能力を減少させる事により着霜の速度を下げ、除霜開始時間は遅くなる方向とし、一方除霜開始時間の遅い蒸発器については、能力を上げる事により、全体としての能力を一定とする事ができる。
【０１０２】
以上の実施の形態によれば、全体としては能力を一定にしたまま、除霜開始が近づいている蒸発器の除霜開始条件の成立を遅延させることで、給湯中に除霜開始条件の成立により、給湯能力が低下する可能性を低くすることができる。
【０１０３】
（実施の形態３）
図６は、本発明の実施の形態３によるヒートポンプ式給湯装置の回路と制御要素の構成を示した概略図である。
【０１０４】
図７は、主制御部４１の一部の機能である除霜遅延制御の処理内容を示すフローチャートである。
【０１０５】
ヒートポンプ式給湯装置３２全体の動作概要と除霜開始時間推定部１７の処理内容は実施の形態１での説明と同一のため、説明は省略する。
【０１０６】
ただし、本実施の形態３における第１ファン及び第２ファンは、回転数制御ができるものである。
【０１０７】
除霜開始時間推定部１７から、除霜遅延制御或いは除霜遅延制御停止の何れかの要請を受けた場合の主制御部４１の動作を図７のフローチャートを用いて説明する。
【０１０８】
主制御部４１における除霜遅延制御は、ある設定された周期（例えば１分毎）により実施される。
【０１０９】
ステップ１では、除霜開始時間推定部１７から除霜遅延制御が要請された場合はステップ２へ進み、除霜遅延制御停止が要請された場合は終了する。ステップ２では、除霜開始時間推定部１７からの蒸発器判別情報に従い第１蒸発器４の除霜の開始が近い場合はステップ３に進み、第２蒸発器１３の除霜の開始が近い場合はステップ７へ進む。ステップ３では、第１ファンの回転数を上げることが可能かどうかを判定し、可能である場合はステップ４へ進み、不可能であれば終了する。ステップ４では、第２ファンの回転数を下げることが可能かどうかを判定し、可能である場合はステップ５へ進み、不可能であれば終了する。ステップ５では、第１ファン制御部２２に対し、予め設定された回転数分だけファン回転数を上げる指示を行いステップ６へ進む。ステップ６では、第２ファン制御御部２３に対し、予め設定された回転数分だけファン回転数を下げる指示を行い処理を終了する。一方、ステップ７では、第２ファンの回転数を上げることが可能かどうかを判定し、可能である場合はステップ８へ進み、不可能であれば終了する。ステップ８では、第１ファンの回転数を下げることが可能かどうかを判定し、可能である場合はステップ９へ進み、不可能であれば終了する。ステップ９では、第２ファン制御部２３に対し、予め設定された回転数分だけファン回転数を上げる指示を行いステップ１０へ進む。ステップ１０では、第１ファン制御部２２に対し、予め設定された回転数分だけファン回転数を下げる指示を行い処理は終了する。
【０１１０】
以上説明した様に、第１蒸発器４の除霜が開始されるまでの時間と第２蒸発器１３の除霜が開始されるまでの時間を推定し、その推定値の差（ｔｓａ）が予め設定した値（Ｔｓａ）より大きく、かつ、何れかの時間の推定値（ｔ１或いはｔ２）が、予め設定している値（Ｔｓｔａｒｔ）より小さい場合に、第１ファン制御部２２と第２ファン制御部２３にファン回転数変更指令を出すことで、除霜開始時間の近い蒸発器の能力を低下させる事により着霜の速度を下げ、除霜開始時間は遅くなる方向となり、一方、除霜開始時間の遅い蒸発器については、能力を上げる事により、全体としての能力を一定とする事ができる。
【０１１１】
以上の実施の形態によれば、全体としては能力を一定にしたまま、除霜開始が近づいている蒸発器の除霜開始条件の成立を遅延させることができ、その結果、給湯中の除霜開始条件の成立により給湯能力が低下する可能性を低くすることができる。
【０１１２】
（実施の形態４）
図８は、本発明の実施の形態４によるヒートポンプ式給湯装置の回路と制御要素の構成を示した概略図である。
【０１１３】
図９は、主制御部４２の一部の機能である除霜遅延制御の処理内容を示すフローチャートである。
【０１１４】
ヒートポンプ式給湯装置３２全体の動作概要と除霜開始時間推定部１７の処理内容は実施の形態１での説明と同一のため、説明は省略する。
【０１１５】
ただし、本実施の形態４における第１圧縮機及び第２圧縮機は可変速駆動が可能なものである。
【０１１６】
また、第１膨張弁及び第２膨張弁は、任意の絞りが設定できる電動膨張弁である。
【０１１７】
除霜開始時間推定部１７から、除霜遅延制御或いは除霜遅延制御停止の何れかの要請を受けた場合の主制御部４２の動作を図９のフローチャートを用いて説明する。
【０１１８】
主制御部４２における除霜遅延制御は、ある設定された周期（例えば１分毎）により実施される。
【０１１９】
ステップ１では、除霜開始時間推定部１７から除霜遅延制御が要請された場合はステップ２へ進み、除霜遅延制御停止が要請された場合は終了する。ステップ２では、除霜開始時間推定部１７からの蒸発器判別情報に従い第１蒸発器４の除霜の開始が近い場合はステップ３に進み、第２蒸発器１３の除霜の開始が近い場合はステップ１２へ進む。ステップ３では、第１圧縮機１の運転周波数を下げることが可能かどうかを判定する。運転周波数を下げることが可能である場合はステップ４へ進み、不可能である場合はステップ５へ進む。ステップ４では、第１圧縮機制御部７に対し、予め設定された周波数分だけ運転周波数を下げる指示を行いステップ７へ進む。一方、ステップ５では、第１膨張弁３の膨張弁の開度を大きくすることが可能かどうかを判定する。膨張弁開度を大きくすることが可能である場合はステップ６に進み、不可能である場合は処理を終了する。ステップ６では、第１膨張弁制御部２０に対し予め設定された開度分だけ膨張弁開度を大きくする指示を出しステップ７へ進む。ステップ７では、第２圧縮機１０の運転周波数を上げることが可能かどうかを判定する。運転周波数を上げることが可能である場合はステップ８へ進み、不可能である場合はステップ９へ進む。ステップ８では、第２圧縮機制御部９に対し、予め設定された周波数分だけ運転周波数を上げる指示を行い処理を終了する。一方、ステップ９では、第２膨張弁の開度を小さくすることが可能かどうかを判定する。膨張弁開度を小さくすることが可能である場合はステップ１０へ進み、不可能である場合はステップ１１へ進む。ステップ１０では、第２膨張弁制御部２１に対し、予め設定された開度分だけ膨張弁開度を小さくする指示を行い終了する。一方、ステップ１１では、ステップ４で指示した第１圧縮機制御部７に対する運転周波数を下げる指示、或いは、ステップ６で指示した第１膨張弁制御部２０に対する膨張弁開度を大きくする指示を取り消して終了する。
【０１２０】
次に、ステップ２で第２蒸発器１３の除霜開始が近いと判定した場合を説明する。
【０１２１】
ステップ１２では、第２圧縮機１０の運転周波数を下げることが可能かどうかを判定する。運転周波数を下げることが可能である場合はステップ１３へ進み、不可能である場合はステップ１４へ進む。ステップ１３では、第２圧縮機制御部９に対し、予め設定された周波数分だけ運転周波数を下げる指示を行いステップ１６へ進む。一方、ステップ１４では、第２膨張弁１２の膨張弁の開度を大きくすることが可能かどうかを判定する。膨張弁
開度を大きくすることが可能である場合はステップ１５に進み、不可能である場合は処理を終了する。ステップ１５では、第２膨張弁制御部２１に対し予め設定された開度分だけ膨張弁開度を大きくする指示を出しステップ１６へ進む。ステップ１６では、第１圧縮機１の運転周波数を上げることが可能かどうかを判定する。運転周波数を上げることが可能である場合はステップ１７へ進み、不可能である場合はステップ１８へ進む。ステップ１７では、第１圧縮機制御部７に対し、予め設定された周波数分だけ運転周波数を上げる指示を行い処理を終了する。一方、ステップ１８では、第１膨張弁の開度を小さくすることが可能かどうかを判定する。膨張弁開度を小さくすることが可能である場合はステップ１９へ進み、不可能である場合はステップ２０へ進む。ステップ１９では、第１膨張弁制御部２０に対し、予め設定された開度分だけ膨張弁開度を小さくする指示を行い終了する。一方、ステップ２０では、ステップ１３で指示した第２圧縮機制御部９に対する運転周波数を下げる指示、或いは、ステップ１５で指示した第２張弁制御部２１に対する膨張弁開度を大きくする指示を取り消して終了する。
【０１２２】
以上説明した様に、第１蒸発器４の除霜が開始されるまでの時間と第２蒸発器１３の除霜が開始されるまでの時間を推定し、その推定値の差（ｔｓａ）が予め設定した値（Ｔｓａ）より大きく、かつ、何れかの時間の推定値（ｔ１或いはｔ２）が、予め設定している値（Ｔｓｔａｒｔ）より小さい場合に、除霜開始時間推定部１７の出力により主制御部４２が第１圧縮機制御部７と第２圧縮機制御部９と第１膨張弁制御部２０と第２膨張弁制御部２１に動作変更指令を出すことで、除霜開始時間の近い蒸発器の能力を下げる事により着霜の速度が下がり、除霜開始時間は遅くなる方向となり、一方、除霜開始時間の遅い蒸発器については、能力を上げる事で全体としての能力を一定とする事ができる。
【０１２３】
本実施の形態４によれば、各圧縮機の運転周波数の変更が不可能である場合においても、各膨張弁の開度を制御することができるため、全体としては能力を一定にしたまま、除霜開始を遅延させる事ができ、その結果、給湯中の除霜開始条件の成立により給湯能力が低下する可能性を、二つのパラメータを操作することにより更に低くすることができる。
【０１２４】
（実施の形態５）
図１０は、本発明の実施の形態５によるヒートポンプ式給湯装置の回路と制御要素の構成を示した概略図である。
【０１２５】
図１１は、主制御部４３の一部の機能である除霜遅延制御の処理内容を示すフローチャートである。
【０１２６】
ヒートポンプ式給湯装置３２全体の動作概要と除霜開始時間推定部１７の処理内容は実施の形態１での説明と同一のため、説明は省略する。
【０１２７】
ただし、本実施の形態５における第１圧縮機１及び第２圧縮機１０、第１ファン５及び第２ファン１４は可変速駆動が可能である。
【０１２８】
除霜開始時間推定部１７から、除霜遅延制御、或いは除霜遅延制御停止の何れかの要請を受けた場合の主制御部４３の動作を図１１のフローチャートを用いて説明する。
【０１２９】
主制御部４３における除霜遅延制御は、ある設定された周期（例えば１分毎）により実施される。
【０１３０】
ステップ１では、除霜開始時間推定部１７から除霜遅延制御が要請された場合はステップ２へ進み、除霜遅延制御停止が要請された場合は終了する。ステップ２では、除霜開始時間推定部１７からの蒸発器判別情報に従い第１蒸発器４の除霜の開始が近い場合はステ
ップ３に進み、第２蒸発器１３の除霜の開始が近い場合はステップ１２へ進む。ステップ３では、第１圧縮機１の運転周波数を下げることが可能かどうかを判定する。運転周波数を下げることが可能である場合はステップ４へ進み、不可能である場合はステップ５へ進む。ステップ４では、第１圧縮機制御部７に対し、予め設定された周波数分だけ運転周波数を下げる指示を行いステップ７へ進む。一方、ステップ５では、第１ファン５の回転数を上げることが可能かどうかを判定する。回転数を上げることが可能である場合はステップ６に進み、不可能である場合は処理を終了する。ステップ６では、第１ファン制御部２２に対し予め設定された回転数分だけ回転数を上げる指示を出しステップ７へ進む。ステップ７では、第２圧縮機１０の運転周波数を上げることが可能かどうかを判定する。運転周波数を上げることが可能である場合はステップ８へ進み、不可能である場合はステップ９へ進む。ステップ８では、第２圧縮機制御部９に対し、予め設定された周波数分だけ運転周波数を上げる指示を行い処理を終了する。一方、ステップ９では、第２ファン１４の回転数を下げることが可能かどうかを判定する。回転数を下げることが可能である場合はステップ１０へ進み、不可能である場合はステップ１１へ進む。ステップ１０では、第２ファン制御部２３に対し、予め設定された周波数分だけ周波数を下げる指示を行い終了する。一方、ステップ１１では、ステップ４で指示した第１圧縮機制御部７に対する運転周波数を下げる指示、或いは、ステップ６で指示した第１ファン制御部２２に対する回転数を上げる指示を取り消して終了する。
【０１３１】
次に、ステップ２で第２蒸発器１３の除霜開始が近いと判定した場合を説明する。
【０１３２】
ステップ１２では、第２圧縮機１０の運転周波数を下げることが可能かどうかを判定する。運転周波数を下げることが可能である場合はステップ１３へ進み、不可能である場合はステップ１４へ進む。ステップ１３では、第２圧縮機制御部９に対し、予め設定された周波数分だけ運転周波数を下げる指示を行いステップ１６へ進む。一方、ステップ１４では、第２ファン１４の回転数を上げることが可能かどうかを判定する。回転数を上げることが可能である場合はステップ１５に進み、不可能である場合は処理を終了する。ステップ１５では、第２ファン制御部２３に対し予め設定された回転数分だけ回転数を上げる指示を出しステップ１６へ進む。ステップ１６では、第１圧縮機１の運転周波数を上げることが可能かどうかを判定する。運転周波数を上げることが可能である場合はステップ１７へ進み、不可能である場合はステップ１８へ進む。ステップ１７では、第１圧縮機制御部７に対し、予め設定された周波数分だけ運転周波数を上げる指示を行い処理を終了する。一方、ステップ１８では、第１ファン５の回転数を下げることが可能かどうかを判定する。回転数を下げることが可能である場合はステップ１９へ進み、不可能である場合はステップ２０へ進む。ステップ１９では、第１ファン制御部２２に対し、予め設定された回転数分だけ回転数を下げる指示を行い終了する。一方、ステップ２０では、ステップ１３で指示した第２圧縮機制御部９に対する運転周波数を下げる指示、或いは、ステップ１５で指示した第２ファン制御部２３に対する回転数を上げる指示を取り消して終了する。
【０１３３】
上記の様に、第１蒸発器４の除霜が開始されるまでの時間と第２蒸発器１３の除霜が開始されるまでの時間を推定し、その推定値の差（ｔｓａ）が予め設定した値（Ｔｓａ）より大きく、かつ、何れかの時間の推定値（ｔ１或いはｔ２）が、予め設定している値（Ｔｓｔａｒｔ）より小さい場合に、除霜開始時間推定部１７の出力により主制御部４３が第１圧縮機制御部７と第２圧縮機制御部９と第１ファン制御部２２と第２ファン制御部２３に動作変更指令を出すことで、除霜開始時間の近い蒸発器は能力を低下させる事により着霜の速度が下がり、除霜開始時間は遅延する方向となり、一方、除霜開始時間の遅い蒸発器については、能力を上げる事で全体としての能力を一定とする事ができる。
【０１３４】
本実施の形態５によれば、各圧縮機の運転周波数の変更が不可能である場合においても、各ファンの回転数を制御することができるため、全体としては能力を一定にしたまま、
除霜開始条件の成立を遅延させる事ができ、その結果、給湯中の除霜条件の成立による給湯能力の低下する可能性を、二つのパラメータを操作することにより更に低くすることができる。
【０１３５】
（実施の形態６）
図１２は、本発明の実施の形態６によるヒートポンプ式給湯装置の回路と制御要素の構成を示した概略図である。
【０１３６】
図１３は、主制御部４４の一部の機能である除霜遅延制御の処理内容を示すフローチャートである。
【０１３７】
ヒートポンプ式給湯装置３２全体の動作概要と除霜開始時間推定部１７の処理内容は実施の形態１での説明と同一のため、説明は省略する。
【０１３８】
ただし、本実施の形態６における第１膨張弁３及び第２膨張弁１２は、任意の絞りが可能な電動膨張弁である。また、第１ファン５及び第２ファン１４は可変速駆動のものである。
【０１３９】
除霜開始時間推定部１７から、除霜遅延制御或いは除霜遅延制御停止の何れかの要請を受けた場合の主制御部４４の動作を図１３のフローチャートを用いて説明する。
【０１４０】
主制御部４４における除霜遅延制御は、ある設定された周期（例えば１分毎）により実施される。
【０１４１】
ステップ１では、除霜開始時間推定部１７から除霜遅延制御が要請された場合はステップ２へ進み、除霜遅延制御停止が要請された場合は終了する。ステップ２では、除霜開始時間推定部１７からの蒸発器判別情報に従い第１蒸発器４の除霜の開始が近い場合はステップ３に進み、第２蒸発器１３の除霜の開始が近い場合はステップ１２へ進む。ステップ３では、第１ファン５の回転数を上げることが可能かどうかを判定する。回転数を上げることが可能である場合はステップ４へ進み、不可能である場合はステップ５へ進む。ステップ４では、第１ファン制御部２２に対し、予め設定された回転数分だけ回転数を上げる指示を行いステップ７へ進む。一方、ステップ５では、第１膨張弁３の開度を大きくすることが可能かどうかを判定する。膨張弁開度を大きくすることが可能である場合はステップ６に進み、不可能である場合は処理を終了する。ステップ６では、第１膨張弁制御部２０に対し予め設定された開度分だけ膨張弁開度を大きくする指示を出しステップ７へ進む。ステップ７では、第２ファン１４の回転数を下げることが可能かどうかを判定する。回転数を下げることが可能である場合はステップ８へ進み、不可能である場合はステップ９へ進む。ステップ８では、第２ファン制御部２３に対し、予め設定された回転数分だけ回転数を下げる指示を行い処理を終了する。一方、ステップ９では、第２膨張弁１２の開度を小さくすることが可能かどうかを判定する。膨張弁開度を小さくすることが可能である場合はステップ１０へ進み、不可能である場合はステップ１１へ進む。ステップ１０では、第２膨張弁制御部２１に対し、予め設定された開度分だけ膨張弁開度を小さくする指示を行い終了する。一方、ステップ１１では、ステップ４で指示した第１ファン制御部２２に対する回転数を上げる指示、或いは、ステップ６で指示した第１膨張弁制御部２０に対する膨張弁開度を大きくする指示を取り消して終了する。
【０１４２】
次に、ステップ２で第２蒸発器１３の除霜開始が近いと判定した場合を説明する。
【０１４３】
ステップ１２では、第２ファン１４の回転数を上げることが可能かどうかを判定する。回転数を上げることが可能である場合はステップ１３へ進み、不可能である場合はステッ
プ１４へ進む。ステップ１３では、第２ファン制御部２３に対し、予め設定された回転数分だけ回転数を上げる指示を行いステップ１６へ進む。一方、ステップ１４では、第２膨張弁１２の開度を大きくすることが可能かどうかを判定する。膨張弁開度を大きくすることが可能である場合はステップ１５に進み、不可能である場合は処理を終了する。ステップ１５では、第２膨張弁制御部２１に対し予め設定された開度分だけ膨張弁開度を大きくする指示を出しステップ１６へ進む。ステップ１６では、第１ファン５の回転数を下げることが可能かどうかを判定する。回転数を下げることが可能である場合はステップ１７へ進み、不可能である場合はステップ１８へ進む。ステップ１７では、第１ファン制御部２２に対し、予め設定された回転数分だけ回転数を下げる指示を行い処理を終了する。一方、ステップ１８では、第１膨張弁３の開度を小さくすることが可能かどうかを判定する。膨張弁開度を小さくすることが可能である場合はステップ１９へ進み、不可能である場合はステップ２０へ進む。ステップ１９では、第１膨張弁制御部２０に対し、予め設定された開度分だけ膨張弁開度を小さくする指示を行い終了する。一方、ステップ２０では、ステップ１３で指示した第２ファン制御部２３に対する回転数を上げる指示、或いは、ステップ１５で指示した第２膨張弁制御部２１に対する膨張弁開度を大きくする指示を取り消して終了する。
【０１４４】
上記の様に、第１蒸発器４の除霜が開始されるまでの時間と第２蒸発器１３の除霜が開始されるまでの時間を推定し、その推定値の差（ｔｓａ）が予め設定した値（Ｔｓａ）より大きく、かつ、何れかの時間の推定値（ｔ１或いはｔ２）が、予め設定している値（Ｔｓｔａｒｔ）より小さい場合に、除霜開始時間推定部１７の出力により主制御部４４が第１膨張弁制御部２０と第２膨張弁制御部２１と第１ファン制御部２２と第２ファン制御部２３に動作変更指令を出すことで、除霜開始時間の近い蒸発器の能力を減少させる事により着霜の速度が下がり、除霜開始時間は遅延する方向となり、一方、除霜開始時間の遅い蒸発器については、能力を上げる事で全体としての能力を一定とする事ができる。
【０１４５】
本実施の形態６によれば、各圧縮機が一定速である場合においても、各ファン及び膨張弁の制御により、全体としては能力を一定にしたまま、除霜開始の時間を遅延させる事ができ、その結果、給湯中の除霜条件の成立による給湯能力の低下の可能性を、二つのパラメータを操作することにより更に低くすることができる。
【０１４６】
（実施の形態７）
図１４は、本発明の実施の形態７によるヒートポンプ式給湯装置の回路と制御要素の構成を示した概略図である。
【０１４７】
図１５及び図１６は、主制御部４５の一部の機能である除霜遅延制御の処理内容を示すフローチャートである。
【０１４８】
ヒートポンプ式給湯装置３２全体の動作概要と除霜開始時間推定部１７の処理内容は実施の形態１での説明と同一のため、説明は省略する。
【０１４９】
ただし、本実施の形態７における第１膨張３弁及び第２膨張弁１２は、任意の絞りが可能な電動膨張弁であり、第１圧縮器１、第２圧縮機１０、第１ファン５及び第２ファン１４は可変速駆動が可能なものである。
【０１５０】
除霜開始時間推定部１７から、除霜遅延制御或いは除霜遅延制御停止の何れかの要請を受けた場合の主制御部４５の動作を図１５及び図１６のフローチャートを用いて説明する。
【０１５１】
主制御部４５における除霜遅延制御は、ある設定された周期（例えば１分毎）により実
施される。
【０１５２】
ステップ１では、除霜開始時間推定部１７から除霜遅延制御が要請された場合はステップ２へ進み、除霜遅延制御停止が要請された場合は終了する。ステップ２では、除霜開始時間推定部１７からの蒸発器判別情報に従い第１蒸発器４の除霜の開始が近い場合はステップ３に進み、第２蒸発器１３の除霜の開始が近い場合はステップ１６へ進む。ステップ３では、第１圧縮機１の運転周波数を下げることが可能かどうかを判定する。運転周波数を下げることが可能である場合はステップ４へ進み、不可能である場合はステップ５へ進む。ステップ４では、第１圧縮機制御部７に対し、予め設定された周波数分だけ運転周波数を下げる指示を行いステップ９へ進む。一方、ステップ５では、第１ファン５の回転数を上げることが可能かどうかを判定する。ファン回転数を上げることが可能である場合はステップ６に進み、不可能である場合はステップ７へ進む。ステップ６では、第１ファン制御部２２に対し、予め設定された回転数分だけファン回転数を上げる指示を行いステップ９へ進む。一方、ステップ７では、第１膨張弁３の開度を大きくすることが可能かどうかを判定する。膨張弁開度を大きくすることが可能である場合はステップ８に進み、不可能である場合は処理を終了する。ステップ８では、第１膨張弁制御部２０に対し、予め設定された開度分だけ膨張弁開度を大きくする指示を行いステップ９へ進む。ステップ９では、第２圧縮機１０の運転周波数を上げることが可能かどうかを判定する。運転周波数を上げることが可能である場合はステップ１０へ進み、不可能である場合はステップ１１へ進む。ステップ１０では、第２圧縮機制御部９に対し、予め設定された周波数分だけ運転周波数を上げる指示を行い処理を終了する。一方、ステップ１１では、第２ファン１４の回転数を下げることが可能かどうかを判定する。ファン回転数を下げることが可能である場合はステップ１２へ進み、不可能である場合はステップ１３へ進む。ステップ１２では、第２ファン制御部２３に対し、予め設定された回転数分だけファン回転数を下げる指示を行い終了する。一方、ステップ１３では、第２膨張弁１２の開度を小さくすることが可能かどうかを判定する。膨張弁開度を小さくすることが可能である場合はステップ１４へ進み、不可能である場合はステップ１５へ進む。ステップ１４では、第２膨張弁制御部２１に対し、予め設定された開度分だけ膨張弁開度を小さくする指示を行い終了する。一方、ステップ１５では、ステップ４で指示した第１圧縮機制御部７に対する運転周波数を下げる指示、或いは、ステップ６で指示した第１ファン制御部２２に対するファン回転数を上げる指示、或いは、ステップ８で指示した第１膨張弁制御部２０に対する膨張弁開度を大きくする指示を取り消して終了する。
【０１５３】
次に、ステップ２で第２蒸発器１３の除霜開始が近いと判定した場合を説明する。
【０１５４】
ステップ１６では、第２圧縮機１０の運転周波数を下げることが可能かどうかを判定する。運転周波数を下げることが可能である場合はステップ１７へ進み、不可能である場合はステップ１８へ進む。ステップ１７では、第２圧縮機制御部９に対し、予め設定された周波数分だけ運転周波数を下げる指示を行いステップ２２へ進む。一方、ステップ１８では、第２ファン１４の回転数を上げることが可能かどうかを判定する。ファン回転数を上げることが可能である場合はステップ１９に進み、不可能である場合はステップ２０へ進む。ステップ１９では、第２ファン制御部２３に対し、予め設定された回転数分だけファン回転数を上げる指示を行いステップ２２へ進む。一方、ステップ２０では、第２膨張弁１２の開度を大きくすることが可能かどうかを判定する。膨張弁開度を大きくすることが可能である場合はステップ２１に進み、不可能である場合は処理を終了する。ステップ２１では、第２膨張弁制御部２１に対し、予め設定された開度分だけ膨張弁開度を大きくする指示を行いステップ２２へ進む。ステップ２２では、第１圧縮機１の運転周波数を上げることが可能かどうかを判定する。運転周波数を上げることが可能である場合はステップ２３へ進み、不可能である場合はステップ２４へ進む。ステップ２３では、第１圧縮機制御部７に対し、予め設定された周波数分だけ運転周波数を上げる指示を行い処理を終了す
る。一方、ステップ２４では、第１ファン５の回転数を下げることが可能かどうかを判定する。ファン回転数を下げることが可能である場合はステップ２５へ進み、不可能である場合はステップ２６へ進む。ステップ２５では、第１ファン制御部２２に対し、予め設定された回転数分だけファン回転数を下げる指示を行い終了する。一方、ステップ２６では、第１膨張弁３の開度を小さくすることが可能かどうかを判定する。膨張弁開度を小さくすることが可能である場合はステップ２７へ進み、不可能である場合はステップ２８へ進む。ステップ２７では、第１膨張弁制御部２０に対し、予め設定された開度分だけ膨張弁開度を小さくする指示を行い終了する。一方、ステップ２８では、ステップ１７で指示した第２圧縮機制御部９に対する運転周波数を下げる指示、或いは、ステップ１９で指示した第２ファン制御部２３に対するファン回転数を上げる指示、或いは、ステップ２１で指示した第２膨張弁制御部２１に対する膨張弁開度を大きくする指示を取り消して終了する。
【０１５５】
上記の様に、第１蒸発器４の除霜が開始されるまでの時間と第２蒸発器１３の除霜が開始されるまでの時間を推定し、その推定値の差（ｔｓａ）が予め設定した値（Ｔｓａ）より大きく、かつ、何れかの時間の推定値（ｔ１或いはｔ２）が、予め設定している値（Ｔｓｔａｒｔ）より小さい場合に、除霜開始時間推定部１７の出力により主制御部４５が第１圧縮機制御部７と第２圧縮機制御部９と第１膨張弁制御部２０と第２膨張弁制御部２１と第１ファン制御部２２と第２ファン制御部２３の何れかに動作変更指令を出すことで、除霜開始時間の近い蒸発器は能力を減少させる事により着霜の速度が下がり、除霜開始時間は遅延する方向となり、一方、除霜開始時間の遅い蒸発器については、能力を上げる事で全体としての能力を一定とする事ができる。
【０１５６】
本実施の形態７によれば、除霜開始条件の成立を遅延させる事ができ、その結果、給湯中の除霜開始条件の成立による給湯能力の低下する可能性を、三つのパラメータを操作することにより最大限低くすることができる。
【０１５７】
（実施の形態８）
図１７は、本発明の実施の形態８によるヒートポンプ式給湯装置の回路と制御要素の構成を示した概略図である。
【０１５８】
ヒートポンプ式給湯装置３２全体の動作概要と除霜開始時間推定部１７の処理内容は実施の形態１での説明と同一のため、説明は省略する。
本実施の形態８は、実施の形態１から実施の形態７で説明した構成に対して、外部入力部２４を追加したものである。
【０１５９】
実施の形態１の説明において、図２を用いて説明した除霜開始時間推定部１７の処理において、ステップ１４及びステップ１５で比較値として用いている設定時間（Ｔｓｔａｒｔ）を、外部入力部２４による変更を可能としたものである。
【０１６０】
本実施の形態８によれば、設定時間（Ｔｓｔａｒｔ）を、外部入力部２４より入力を可能とする事によって、それぞれの実際の使用状況に応じた設定が可能となる。
【０１６１】
具体的には、短時間の給湯での使用が多い場合には、設定時間（Ｔｓｔａｒｔ）は短くてよく、長時間の給湯が多い場合は長く設定しておいた方がよい。
【図面の簡単な説明】
【０１６２】
【図１】本発明による除霜調節装置の実施の形態１によるヒートポンプ式給湯装置と制御要素の構成を示した概略図
【図２】同実施の形態の除霜開始時間推定部の処理内容を示すフローチャート
【図３】同実施の形態の主制御部の一部の機能である除霜遅延制御の処理内容を示すフローチャート
【図４】本発明による除霜調節装置の実施の形態２によるヒートポンプ式給湯装置と制御要素の構成を示した概略図
【図５】同実施の形態の主制御部の一部の機能である除霜遅延制御の処理内容を示すフローチャート
【図６】本発明による除霜調節装置の実施の形態３によるヒートポンプ式給湯装置と制御要素の構成を示した概略図
【図７】同実施の形態の主制御部の一部の機能である除霜遅延制御の処理内容を示すフローチャート
【図８】本発明による除霜調節装置の実施の形態４によるヒートポンプ式給湯装置と制御要素の構成を示した概略図
【図９】同実施の形態の主制御部の一部の機能である除霜遅延制御の処理内容を示すフローチャート
【図１０】本発明による除霜調節装置の実施の形態５によるヒートポンプ式給湯装置と制御要素の構成を示した概略図
【図１１】同実施の形態の主制御部の一部の機能である除霜遅延制御の処理内容を示すフローチャート
【図１２】本発明による除霜調節装置の実施の形態６によるヒートポンプ式給湯装置と制御要素の構成を示した概略図
【図１３】同実施の形態の主制御部の一部の機能である除霜遅延制御の処理内容を示すフローチャート
【図１４】本発明による除霜調節装置の実施の形態７によるヒートポンプ式給湯装置と制御要素の構成を示した概略図
【図１５】同実施の形態の主制御部の一部の機能である除霜遅延制御のステップ１５までの処理内容を示すフローチャート
【図１６】同実施の形態の主制御部の一部の機能である除霜遅延制御のステップ１６以降の処理内容を示すフローチャート
【図１７】本発明による除霜調節装置の実施の形態８によるヒートポンプ式給湯装置と制御要素の構成を示した概略図
【図１８】従来の複数の室外機により構成される空気調和機における除霜遅延装置の構成成を示した概略図
【符号の説明】
【０１６３】
１    第１圧縮機
３    第１膨張弁
４    第１蒸発器
５    第１ファン
６    第1温度センサ
７    第１圧縮機制御部
８    主制御部
９    第２圧縮機制御部
１０  第２圧縮機
１２  第２膨張弁
１３  第２蒸発器
１４  第２ファン
１５  第２温度センサ
１７  除霜開始時間推定部
１８  第１ヒートポンプ回路
１９  第２ヒートポンプ回路
２０  第１膨張弁制御部
２１  第２膨張弁制御部
２２  第１ファン制御部
２３  第２ファン制御部
２４  外部入力部
２５  貯湯タンク
３２  ヒートポンプ式給湯装置
３４  給湯回路
３６  第１冷媒対水熱交換器
３７  第２冷媒対水熱交換器
４０  主制御部
４１  主制御部
４２  主制御部
４３  主制御部
４４  主制御部
４５  主制御部
【図１】
2005090785.tif 000003
【図２】
2005090785.tif 000004
【図３】
2005090785.tif 000005
【図４】
2005090785.tif 000006
【図５】
2005090785.tif 000007
【図６】
2005090785.tif 000008
【図７】
2005090785.tif 000009
【図８】
2005090785.tif 000010
【図９】
2005090785.tif 000011
【図１０】
2005090785.tif 000012
【図１１】
2005090785.tif 000013
【図１２】
2005090785.tif 000014
【図１３】
2005090785.tif 000015
【図１４】
2005090785.tif 000016
【図１５】
2005090785.tif 000017
【図１６】
2005090785.tif 000018
【図１７】
2005090785.tif 000019
【図１８】
2005090785.tif 000020